(57)【要約】【課題】損失率を低減することのできる波長分波合波装置を提供する。【解決手段】共通ポートＰｃｏｍに遮断波長λ０の短波長透過型フィルターＳＷＰＦ（λ０）または長波長透過型フィルターＳＷＰＦ（λ０）の入力ポート［Ｉ］を接続し、それらの透過ポート［Ｔ］と反射ポート［Ｒ］にそれぞれ異なる波長を透過する帯域透過型フィルターＢＰＦ（λ２）とＢＰＦ（λ３）、ＢＰＦ（λ４）とＢＰＦ（λ１）を接続することにより、Ｎ個の波長を分波合波する波長分波合波装置。【選択図】　　　図５
2004080064.tif 000002
【特許請求の範囲】
【請求項１】
Ｎ個の波長の光信号を合波して光ファイバケーブルに出射するとともに、前記光ファイバケーブルから入射される光信号をＮ個の波長の光信号に分波する波長分波合波装置において、
一つの共通ポートに接続された短波長透過型または長波長透過型フィルターと、
前記短波長透過型または長波長透過型フィルターの後段に接続された（Ｎ−２）個の帯域透過型フィルターと、
を有することを特徴とする波長分波合波装置。
【請求項２】
前記短波長透過型または長波長透過型フィルターは、入力ポート、透過ポート、および反射ポートを有し、
前記帯域透過型フィルターは、入力ポート、透過ポート、および反射ポートを有し、
前記帯域透過型フィルターの入力ポートが前記短波長透過型または長波長透過型フィルターの透過ポートまたは反射ポートに接続され、
前記帯域透過型フィルターの透過ポートが光信号の入出力ポートに接続され、前記帯域透過型フィルターの反射ポートが光信号の入出力ポートまたは他の帯域透過型フィルターの入力ポートに接続されていることを特徴とする請求項１記載の波長分波合波装置。
【請求項３】
前記帯域透過型フィルターは、前記短波長透過型または長波長透過型フィルターの透過ポートと反射ポートにそれぞれ同数となるように接続されていることを特徴とする請求項２記載の波長分波合波装置。
【請求項４】
前記短波長透過型フィルターは、入力ポート、透過ポート、および反射ポートを有し、
前記入力ポートから入射した波長λ０より短い波長の光信号を透過して前記透過ポートに出力するとともに、波長λ０より長い波長の光信号を反射して前記反射ポートに出力することを特徴とする請求項１〜３のいずれか一つに記載の波長分波合波装置。
【請求項５】
前記長波長透過型フィルターは、入力ポート、透過ポート、および反射ポートを有し、
前記入力ポートから入射した波長λ０より長い波長の光信号を透過して前記透過ポートに出力するとともに、波長λ０より短い波長の光信号を反射して前記反射ポートに出力することを特徴とする請求項１〜３のいずれか一つに記載の波長分波合波装置。
【請求項６】
前記帯域透過型フィルターは、入力ポート、透過ポート、および反射ポートを有し、
前記入力ポートから入射した波長λｎ（ｎ＝１〜Ｎ）の光信号を透過して前記透過ポートに出力するとともに、波長λｎを除く光信号を反射して前記反射ポートに出力することを特徴とする請求項１〜３のいずれか一つに記載の波長分波合波装置。
【請求項７】
第１および第２の波長分波合波装置間を光ファイバケーブルを介して接続してＮ個の波長の光信号により多重通信を行う波長多重通信システムであって、
前記第１の波長分波合波装置は、前記光ファイバケーブルが接続される一つの共通ポートに接続された短波長透過型フィルターと、前記短波長透過型フィルターの後段に接続された（Ｎ−２）個の帯域透過型フィルターと、を有し、
前記第２の波長分波合波装置は、前記光ファイバケーブルが接続される一つの共通ポートに接続された長波長透過型フィルターと、前記長波長透過型フィルターの後段に接続された（Ｎ−２）個の帯域透過型フィルターと、を有することを特徴とする波長多重通信システム。
【請求項８】
前記短波長透過型または長波長透過型フィルターは、入力ポート、透過ポート、および反射ポートを有し、
前記帯域透過型フィルターは、入力ポート、透過ポート、および反射ポートを有し、
前記帯域透過型フィルターの入力ポートが前記短波長透過型または長波長透過型フィルターの透過ポートまたは反射ポートに接続され、　前記帯域透過型フィルターの透過ポートが受光素子と接続され、
前記帯域透過型フィルターの反射ポートが、他の帯域透過型フィルターの入力ポート、または発光素子に接続されていることを特徴とする請求項７記載の波長多重通信システム。
【請求項９】
前記帯域透過型フィルターは、前記短波長透過型または長波長透過型フィルターの透過ポートと反射ポートにそれぞれ同数となるように接続されていることを特徴とする請求項８記載の波長多重通信システム。
【請求項１０】
前記短波長透過型フィルターは、入力ポート、透過ポート、および反射ポートを有し、
前記入力ポートから入射した波長λ０より短い波長の光信号を透過して前記透過ポートに出力するとともに、波長λ０より長い波長の光信号を反射して前記反射ポートに出力することを特徴とする請求項７〜９のいずれか一つに記載の波長多重通信システム。
【請求項１１】
前記長波長透過型フィルターは、入力ポート、透過ポート、および反射ポートを有し、
前記入力ポートから入射した波長λ０より長い波長の光信号を透過して前記透過ポートに出力するとともに、波長λ０より短い波長の光信号を反射して前記反射ポートに出力することを特徴とする請求項７〜９のいずれか一つに記載の波長多重通信システム。
【請求項１２】
前記帯域透過型フィルターは、入力ポート、透過ポート、および反射ポートを有し、
前記入力ポートから入射した波長λｎ（ｎ＝１〜Ｎ）の光信号を透過して前記透過ポートに出力するとともに、波長λｎを除く光信号を反射して前記反射ポートに出力することを特徴とする請求項７〜９のいずれか一つに記載の波長多重通信システム。
【発明の詳細な説明】
【０００１】
【発明の属する技術分野】
本発明は、複数の光信号を合波する合波機能と、光信号を分波する分波機能を備えた波長分波合波装置、及びこの波長分波合波装置を用いて構成される波長多重通信システムに関する。
【０００２】
【従来の技術】
近年、インターネット通信の急速な需要増大に伴い、通信容量の増加や通信速度の高速化が望まれている。このような要求に対応するため、従来のメタルケーブルによる電気通信に代えて、たとえばＦＴＴＨ（Ｆｉｂｅｒ　ｔｏ　ｔｈｅ　ｈｏｍｅ）などの光ファイバケーブルを利用した光通信の実用化が進められている。
【０００３】
ＦＴＴＨは、たとえばメタルケーブルが布設されている収容局から戸建て住宅近くの電柱間に光ファイバケーブルを布設し、この光ファイバケーブルの一端を屋内に引き込んで屋内の通信端末に接続する。このとき、屋内の通信端末を含む周辺機器の接続はメタルケーブルのままとし、光ファイバケーブルとこの通信端末との間に、電気信号を光信号に変換するメディアコンバータを接続することで、光ファイバケーブルによる高速なインターネット通信を可能としている。
【０００４】
メディアコンバータは、異なるインターフェース機能を有する符号変換部、送信／受光部、さらに波長多重光信号を分波する分波機能と、複数の光を合波する合波機能とを有する波長分波合波部を備えている。
【０００５】
そして、このようなメディアコンバータは、光通信に用いる信号として、波長１．３μｍ／１．５５μｍ帯の光を出力する発光素子、たとえばレーザ・ダイオード（以下、単にＬＤ（ｌａｓｅｒ　ｄｉｏｄｅ）と称する。）と、この波長１．３μｍ／１．５５μｍ帯の光を受光する受光素子、たとえばフォト・ダイオード（以下、単にＰＤ（Ｐｈｏｔｏ　ｄｉｏｄｅ）と称する。）と、１．３μｍ／１．５５μｍ零分散ファイバを用いて一心双方向通信を行っており、波長分波合波部において、分波する波長数と同数の透過フィルターをカスケード接続して分波する方法が一般的に利用されている。
【０００６】
図１１は、従来のメディアコンバータにおける波長分波合波部の構成図と信号損失を示す図面である。また、図１２は、波長分波合波部に用いられている透過フィルターにおける損失率（反射率および透過率）を集計した図である。
【０００７】
図１１（ａ）に示すように、メディアコンバータ１０１Ａに内蔵される波長分波合波部１０３Ａは、波長（λ１）を透過する波長フィルター（λ１）と、波長（λ２）を透過する波長フィルター（λ２）と、波長（λ３）を透過する波長フィルター（λ３）と、波長（λ４）を透過する波長フィルター（λ４）とを備えている。
【０００８】
各波長フィルター（λ１〜λ４）の接続順番は、光ファイバケーブルに近いほうから、波長フィルター（λ１）、波長フィルター（λ２）、波長フィルター（λ３）、波長フィルター（λ４）の順にカスケード接続され、更に波長フィルター（λ１）にはＬＤ（λ１）が接続され、波長フィルター（λ２）にはＬＤ（λ２）が接続されている。また、波長フィルター（λ３）にはＰＤ（λ３）が接続され、波長フィルター（λ４）には、ＰＤ（λ４）が接続されている。
【０００９】
一方、図１１（ｂ）に示すように、メディアコンバータ１０１Ｂに内蔵される波長分波合波部１０３Ｂも波長分波合波部１０３Ａと同様に、波長（λ１）を透過する波長フィルター（λ１）と、波長（λ２）を透過する波長フィルター（λ２）と、波長（λ３）を透過する波長フィルター（λ３）と、波長（λ４）を透過する波長フィルター（λ４）とを備え、これら波長フィルターが光ファイバケーブルに近いほうから、波長フィルター（λ１）、波長フィルター（λ２）、波長フィルター（λ３）、波長フィルター（λ４）の順にカスケード接続されている。また、波長フィルター（λ１）および（λ２）には、ＰＤ（λ１）および（λ２）が接続され、波長フィルター（λ３）および（λ４）には、ＬＤ（λ３）および（λ４）が接続されている。
【００１０】また、各波長フィルター（λ１〜λ４）の損失率は、所定の波長を透過した場合はａ（ｄＢ）であり、反射した場合はｂ（ｄＢ）である。具体的に損失率ａ（ｄＢ）は１．０（ｄＢ）程であり、損失率ｂ（ｄＢ）は０．５（ｄＢ）程である。
【００１１】
続いて、図１１（ａ）および（ｂ）の通りカスケード接続された波長フィルターにおいて、波長分波合波部１０３Ａから波長分波合波部１０３Ｂまでの伝送経路間で受ける合計損失率について波長ごとに説明する。
【００１２】
まず、図１１（ａ）に示すＬＤ（λ１）から出射される波長（λ１）に着目する。
【００１３】
波長（λ１）は、ＬＤ（λ１）から出射すると、波長フィルター（λ１）を透過して、他の波長と合波されて光ファイバケーブルに出力される。多重化された波長は光ファイバケーブル内を伝搬後、波長分波合波部１０３Ｂの波長フィルター（λ１）に入射する。波長フィルター（λ１）は波長（λ１）のみ透過するので、多重化された複数の波長のうち、透過された波長（λ１）のみがＰＤ（λ１）に到達する。
【００１４】
すなわち、波長（λ１）が受ける合計損失率は、波長分波合波部１０３Ａの波長フィルター（λ１）を透過して受ける損失率ａ（ｄＢ）（図１１（ｃ））と、波長分波合波部１００Ｂの波長フィルター（λ１）を透過して受ける損失率ａ（ｄＢ）（図１１（ｄ））とを合計した２ａ（ｄＢ）（図１１（ｅ））、つまり２．０（ｄＢ）（図１２）となる。
【００１５】
次に、波長（λ２）に着目する。波長（λ２）は、ＬＤ（λ２）から出射すると、波長フィルター（λ２）を透過して波長フィルター（λ１）に入射する。波長フィルター（λ１）は、波長（λ１）以外の波長は全て反射するので、波長（λ２）は反射されて、他の波長と合波されて光ファイバケーブルに出力される。
【００１６】
多重化された波長は光ファイバケーブル内を伝搬後、波長分波合波部１０３Ｂの波長フィルター（λ１）に入射する。波長フィルター（λ１）は波長（λ１）以外の波長を反射するので、波長（λ２）は反射されると後段の波長フィルター（λ２）に入射する。波長フィルター（λ２）は、波長（λ２）のみを透過するので、多重化された波長のうち透過された波長（λ２）のみがＰＤ（λ２）に到達する。
【００１７】
すなわち、波長（λ２）が受ける合計損失率は、図１２に示すように、波長分波合波部１０３Ａの波長フィルター（λ２）を透過し、波長フィルター（λ１）で反射されることで受ける損失率ａ＋ｂ（ｄＢ）と、波長分波合波部１０３Ｂの波長フィルター（λ１）で反射され、最終的に波長フィルター（λ２）を透過することで受ける損失率ａ＋ｂ（ｄＢ）とを合計した合計損失率（２ａ＋２ｂ）（ｄＢ）、つまり３．０（ｄＢ）（図１２）となる。
【００１８】
図１１に戻り、続いて波長（λ３）に着目する。波長（λ３）は、波長分波合波部１０３ＢのＬＤ（λ３）から出射すると、波長フィルター（λ３）を透過して波長フィルター（λ２）に入射する。波長フィルター（λ２）は、波長（λ２）以外の波長は全て反射するので、波長フィルター（λ２）と、続く波長フィルター（λ１）とで反射された波長（λ３）は、他の波長と合波されて光ファイバケーブルに出力される。
【００１９】
多重化された波長は光ファイバケーブルを伝搬後、波長分波合波部１０３Ａの波長フィルター（λ１）に入射する。波長フィルター（λ１）は波長（λ１）以外の波長を反射するので、波長（λ２）は反射されると、後段の波長フィルター（λ２）に入射する。波長フィルター（λ２）も同様に、波長（λ２）以外は全て反射するので、波長（λ３）は反射されると、後段の波長フィルター（λ３）に入射する。波長フィルター（λ３）は波長（λ３）のみを透過するので、多重化された波長のうち、波長（λ３）のみが波長フィルター（λ３）を透過してＰＤ（λ２）に到達する。
【００２０】
すなわち、波長（λ３）が受ける合計損失率は、図１２に示すように、波長分波合波部１０３Ｂの波長フィルター（λ３）を透過し、波長フィルター（λ２）と波長フィルター（λ１）で反射されたときに受ける損失率ａ＋２ｂ（ｄＢ）と、波長分波合波部１０３Ａの波長フィルター（λ１）と波長フィルター（λ２）で反射され、最終的に波長フィルター（λ３）を透過したときに受ける損失率ａ＋２ｂ（ｄＢ）とを合計した合計損失率（２ａ＋４ｂ）（ｄＢ）、つまり４．０（ｄＢ）（図１２）となる。
【００２１】
上記方法と同様に波長（λ４）の場合の損失率を求めると、波長（λ４）の合計損失率は（２ａ＋６ｂ）（ｄＢ）、つまり５．０（ｄＢ）（図１２）となる。
【００２２】
【発明が解決しようとする課題】
このように、各メディアコンバータ１０１Ａ、１０１Ｂに内蔵される波長分波合波部１０３Ａ、１０３Ｂの構造は、対象性があり、同一構造で生産できるため生産コストを削減できるという利点を有している。
【００２３】
しかしながら、波長分波合波部１０３Ａ、１０３Ｂに内蔵される波長フィルター数は、分波する波長数と同数が必要である。この波長フィルターの１個の単価は一般に高価であり、上述のように波長フィルターを４素子使用する場合は、システム全体のコストが非常に高価になるという問題がある。
【００２４】
また、波長分波合波部１０３Ａ、１０３Ｂを同一構造とした場合、波長分波合波部１０３Ａ、１０３Ｂ間を伝送する各波長の伝送損失率は、後段のポートに接続されたＬＤから出力される波長ほど、中継する波長フィルターの数が多くなるため損失率が増加することが明らかである。
【００２５】
つまり、波長フィルターの数が増加するほど、透過率が減少しＰＤに到達するときの受光レベルは、極端なケースの場合、ある波長は高い送光レベルを維持したままＰＤに到達するが、ある波長は多数の波長フィルターを中継することでＰＤ到達前に送光レベルが減衰するまたは消滅し、正常な波長多重通信を行うのに支障があるということが考えられる。
【００２６】
本発明は、上記に鑑みてなされたもので、その目的としては、損失率を低減することのできる波長分波合波装置を提供することであり、この波長分波合波装置を用いた波長多重通信システムを提供することにある。
【００２７】
【課題を解決するための手段】
請求項１記載の発明は、上記課題を解決するため、Ｎ個の波長の光信号を合波して光ファイバケーブルに出射するとともに、前記光ファイバケーブルから入射される光信号をＮ個の波長の光信号に分波する波長分波合波装置において、一つの共通ポートに接続された短波長透過型または長波長透過型フィルターと、前記短波長透過型または長波長透過型フィルターの後段に接続された（Ｎ−２）個の帯域透過型フィルターと、を有することを要旨とする。
【００２８】
請求項２記載の発明は、請求項１記載の波長分波合波装置において、前記短波長透過型または長波長透過型フィルターは、入力ポート、透過ポート、および反射ポートを有し、前記帯域透過型フィルターは、入力ポート、透過ポート、および反射ポートを有し、前記帯域透過型フィルターの入力ポートが前記短波長透過型または長波長透過型フィルターの透過ポートまたは反射ポートに接続され、前記帯域透過型フィルターの透過ポートが光信号の入出力ポートに接続され、前記帯域透過型フィルターの反射ポートが光信号の入出力ポートまたは他の帯域透過型フィルターの入力ポートに接続されていることを要旨とする。
【００２９】
請求項３記載の発明は、請求項２記載の波長分波合波装置において、前記帯域透過型フィルターは、前記短波長透過型または長波長透過型フィルターの透過ポートと反射ポートにそれぞれ同数となるように接続されていることを要旨とする。
【００３０】
請求項４記載の発明は、請求項１〜３のいずれか一つに記載の波長分波合波装置において、前記短波長透過型フィルターは、入力ポート、透過ポート、および反射ポートを有し、前記入力ポートから入射した波長λ０より短い波長の光信号を透過して前記透過ポートに出力するとともに、波長λ０より長い波長の光信号を反射して前記反射ポートに出力することを要旨とする。
【００３１】
請求項５記載の発明は、請求項１〜３のいずれか一つに記載の波長分波合波装置において、前記長波長透過型フィルターは、入力ポート、透過ポート、および反射ポートを有し、前記入力ポートから入射した波長λ０より長い波長の光信号を透過して前記透過ポートに出力するとともに、波長λ０より短い波長の光信号を反射して前記反射ポートに出力することを要旨とする。
【００３２】
請求項６記載の発明は、請求項１〜３のいずれか一つに記載の波長分波合波装置において、前記帯域透過型フィルターは、入力ポート、透過ポート、および反射ポートを有し、前記入力ポートから入射した波長λｎ（ｎ＝１〜Ｎ）の光信号を透過して前記透過ポートに出力するとともに、波長λｎを除く光信号を反射して前記反射ポートに出力することを要旨とする。
【００３３】
請求項７記載の発明は、第１および第２の波長分波合波装置間を光ファイバケーブルを介して接続してＮ個の波長の光信号により多重通信を行う波長多重通信システムであって、前記第１の波長分波合波装置は、前記光ファイバケーブルが接続される一つの共通ポートに接続された短波長透過型フィルターと、前記短波長透過型フィルターの後段に接続された（Ｎ−２）個の帯域透過型フィルターと、を有し、前記第２の波長分波合波装置は、前記光ファイバケーブルが接続される一つの共通ポートに接続された長波長透過型フィルターと、前記長波長透過型フィルターの後段に接続された（Ｎ−２）個の帯域透過型フィルターと、を有することを要旨とする。
【００３４】
請求項８記載の発明は、請求項７記載の波長分波合波装置において、前記短波長透過型または長波長透過型フィルターは、入力ポート、透過ポート、および反射ポートを有し、前記帯域透過型フィルターは、入力ポート、透過ポート、および反射ポートを有し、前記帯域透過型フィルターの入力ポートが前記短波長透過型または長波長透過型フィルターの透過ポートまたは反射ポートに接続され、前記帯域透過型フィルターの透過ポートが受光素子と接続され、前記帯域透過型フィルターの反射ポートが、他の帯域透過型フィルターの入力ポート、または発光素子に接続されていることを要旨とする。
【００３５】
請求項９記載の発明は、請求項８記載の波長分波合波装置において、前記帯域透過型フィルターは、前記短波長透過型または長波長透過型フィルターの透過ポートと反射ポートにそれぞれ同数となるように接続されていることを要旨とする。
【００３６】
請求項１０記載の発明は、請求項７〜９のいずれか一つに記載の波長分波合波装置において、前記短波長透過型フィルターは、入力ポート、透過ポート、および反射ポートを有し、前記入力ポートから入射した波長λ０より短い波長の光信号を透過して前記透過ポートに出力するとともに、波長λ０より長い波長の光信号を反射して前記反射ポートに出力することを要旨とする。
【００３７】
請求項１１記載の発明は、請求項７〜９のいずれか一つに記載の波長分波合波装置において、前記長波長透過型フィルターは、入力ポート、透過ポート、および反射ポートを有し、前記入力ポートから入射した波長λ０より長い波長の光信号を透過して前記透過ポートに出力するとともに、波長λ０より短い波長の光信号を反射して前記反射ポートに出力することを要旨とする。
【００３８】
請求項１２記載の発明は、請求項７〜９のいずれか一つに記載の波長分波合波装置において、前記帯域透過型フィルターは、入力ポート、透過ポート、および反射ポートを有し、前記入力ポートから入射した波長λｎ（ｎ＝１〜Ｎ）の光信号を透過して前記透過ポートに出力するとともに、波長λｎを除く光信号を反射して前記反射ポートに出力することを要旨とする。
【００３９】
【発明の実施の形態】
以下、添付した図面を参照して本発明に係わる波長分波合波装置および波長多重通信システムの実施の形態を説明する。
【００４０】
波長多重通信システムは、図１に示すように、光通信サービス加入者宅とサービス提供側である局側とが１心の光ファイバケーブル７で接続されている。加入者宅には、複数の端末装置３と、これら端末装置３の伝送切替えを行うスイッチングハブ５と、スイッチングハブ５と光ファイバケーブル７を接続するメディアコンバータ１Ａが備えられている。局側も加入者宅と同構成としている。なお、局側のメディアコンバータは加入者宅と区別するために番号の後にＢを付している。１Ｂは局側のメディアコンバータである。
【００４１】
端末装置３とスイッチングハブ５間は、イーサネット（登録商標）ケーブルで接続されている。伝送形式は、１０００ＢＡＳＥ−ＳＸのイーサネット（登録商標）のフレームフォーマットで行われる。また、スイッチングハブ５とメディアコンバータ１Ａを接続するケーブルは、１Ｇビット／秒通信用のマルチモードファイバケーブルを使用する。
【００４２】
光ファイバケーブル７は、たとえば、１．３μｍ零分散ファイバ（ＳＭＦ）若しくは１．５５μｍ零分散ファイバ（ＤＳＦ）などの１心からなるものである。いずれかの光ファイバケーブル７を適用して、メディアコンバータ１Ａとメディアコンバータ１Ｂ間で一心双方向通信を行う。
【００４３】
メディアコンバータ１Ａの構造は、スイッチングハブ５と接続するための外部端末用コネクタ１１と、スイッチングハブ５を介して伝送される１０００ＢＡＳＥ−ＳＸの信号フォーマットを電気信号フォーマットに変換する符号変換部１３と、独自仕様の光信号を所定の電気信号フォーマットに変換して符号変換部１３に出力する受光部１５Ａと、符号変換部１３で変換された電気信号フォーマットを独自仕様の光信号に変換する送光部１７Ａと、送光部１７Ａから取得した複数の独自仕様の光信号を多重化する合波機能と多重化された信号を波長ごとに分割して受光部１５Ａに出力する波長分波合波部１９Ａと、この波長分波合波部１９Ａと一心光ファイバケーブル７とを接続する光コネクタ２１とを備えている。
【００４４】
符号変換部１３は、端末装置３からイーサネット（登録商標）ケーブルを介して１０００ＢＡＳＥ−ＳＸ形式の信号フォーマットを受信すると、電気信号フォーマットに符号変換する機能と、光ファイバケーブルを介して接続されるメディアコンバータ１Ｂから独自仕様の光信号を受信すると、受光部１５Ａで電気信号に変換した後、１０００ＢＡＳＥ−ＳＸ形式の信号に符号変換する機能を備えている。
【００４５】
送光部１７Ａは、通信用の半導体レーザと、この半導体レーザを励起させる励起回路を備えている。具体的に半導体レーザは、一般に通信損失の少ない波長１．３μｍおよび１．５５μｍ帯の光を出力する比較的安価な非冷却分布帰還型半導体レーザ（以下、ＤＦＢ−ＬＤ：Ｄｉｓｔｒｉｂｕｔｅｄ　ＦｅｅｄＢａｃｋ−Ｌａｓｅｒ　Ｄｉｏｄｅ）と称する）を指している。なお、このＤＦＢ−ＬＤは、光アイソレータを内蔵しているものとする。
【００４６】
このＤＦＢ−ＬＤは、図２に示すように、使用温度が２５℃の場合に所定波長を出力するものであり、この出力時の波長を中心波長として、温度が１℃変化すると、それに伴い出力波長の値が約０．１ｎｍが移動する。温度が＋１℃変化した場合は、出力波長の値は中心波長＋０．１ｎｍとなり、温度が−１℃変化した場合は、中心波長−０．１ｎｍとなる。
【００４７】
また、ＤＦＢ−ＬＤを使用して、たとえば４種類の光波を多重化（４波多重）するためには、ＤＦＢ−ＬＤの使用温度状態を、２５℃の時、中心波長のばらつきが５ｎｍ以内に抑える必要がある。このばらつきを５ｎｍ以内に抑えると中心波長のばらつきが０℃〜５０℃（通常、メディアコンバータを使用する温度範囲）の温度範囲内で約１０ｎｍ以内となる。ＤＦＢ−ＬＤが有する波長幅は約１０数ｎｍであることから、たとえば波長フィルターとしてＣＷＤＭフィルターを使用した場合、約２０ｎｍ以上の間隔の４波長を完全に分離することが可能となる。
【００４８】
受光部１５Ａは、ＤＦＢ−ＬＤが出力する波長１．３μｍ／１．５５μｍ帯の光を受光する受光特性を有した受光素子と、この受光素子で受光した光を電圧変換する電圧変換回路を備えている。具体的に受光素子は、ＰＤやアバランシェフォトダイオード（ＡＰＤ：Ａｖａｌａｎｃｈｅ　Ｐｈｏｔｏ　Ｄｉｏｄｅ）などを指している。
【００４９】
波長分波合波部１９Ａは、所定波長を透過する波長透過特性を有した波長フィルターを複数接続して備えている。具体的に、波長透過特性を有した波長フィルターとは、ここでは誘電体多層膜からなる誘電体多層膜フィルター（以下、ＣＷＤＭ：Ｃｏａｒｓｅ　Ｗａｖｅｌｅｎｇｔｈ　Ｄｉｖｉｓｉｏｎ　Ｍｕｌｔｉｐｌｅｘｉｎｇと称する）を指している。しかし波長フィルターは、ＣＷＤＭフィルターに限定されるものではなく、所定波長を透過する波長透過特性を有していれば、たとえば、プレーナ光波回路（ＰＬＣ：Ｐｌａｎａｒ　Ｌｉｇｈｔｗａｖｅ　Ｃｉｒｃｕｉｔ）、ファイバグレーティング、ファイバ・カプラなどからなる波長フィルターでも実現可能である。なお、ファイバグレーティングは、比較的高分波性能を有し、ファイバ・カプラは、比較的低分波性能を有する。
【００５０】
一方、メディアコンバータ１Ｂは、メディアコンバータ１Ａと同様の構成からなり、符号変換部１３、受光部１５Ｂ、送光部１７Ｂ、および波長分波合波部１９Ｂを有する。
【００５１】
ここで、ＣＷＤＭフィルターについて具体的に説明する。図３（ａ）は、ＣＷＤＭフィルターの接続を示す構成図であり、図３（ｂ）はＣＷＤＭフィルターの具体的な構造を示す一部断面斜視図である。また、図４（ａ）〜（ｃ）は、ＣＷＤＭフィルターの透過特性を示す図である。図４の透過特性は、横軸が波長（ｎｍ）であり、縦軸が波長に対する損失率（ｄＢ）を示し、図中の縦軸矢印方向に向かって透過率が高くなるように示している。
【００５２】
図３（ａ）に示すように、ＣＷＤＭフィルター１９１は、ＣＷＤＭフィルター本体１９７の一方の端部で光ファイバケーブルと接続するための入力ポート［Ｉ］と、本体内で反射された光を出力する反射ポート［Ｒ］とを備える。本体１９７の他方の端部には、本体１９７を透過した光を出力する透過ポート［Ｔ］を備えている。
【００５３】
このＣＷＤＭフィルター１９１の具体的な構成は、図３（ｂ）に示すように、複数枚の誘電体多層膜フィルターを積層して構成したフィルター部１９３と、このフィルター部１９３を両脇から挟み込むように配置される収束形ロッドレンズ１９５とからなり、光の分離は、このフィルター部１９３に積層される誘電体多層膜ファイルの積層枚数と予め調節されたフィルター部１９３の設置角度により行われる。
【００５４】
なお、誘電体多層膜とは、λ／２或いはλ／４に近い光学的な厚みを有する光屈折率誘電体膜と低屈折率誘電体膜とを交互に積層したもので、特定の波長に対して波長選択性を示すものである。
【００５５】
波長選択性は、誘電体膜の層数、膜材料に大きく依存しており、帯域透過型（ＢＰＦ）、短波長透過型（ＳＷＰＦ）、および長波長域透過型（ＬＷＰＦ）のフィルター特性が実現される。
【００５６】
すなわち、ＣＷＤＭフィルター１９１に、ある波長の光信号を入力ポート［Ｉ］から入射した場合、その光信号の波長がフィルター部１９３の波長選択性と一致する場合は透過されて透過ポート［Ｔ］に出力される。一方、一致しない場合は反射されて反射ポート［Ｒ］に出力される。このように、ＣＷＤＭフィルター１９１は、入力ポート［Ｉ］から入射した波長λｎ（ｎ＝１〜Ｎ、Ｎは多重する波長数）の光信号を透過して透過ポート［Ｔ］に出力し、波長λｎを除く光信号を反射して反射ポート［Ｒ］に出力する。なお、信号の通過方向には対称性があり、入力ポートから入った信号が透過ポートまたは反射ポートか出力される場合と、透過ポートまたは反射ポートから入った信号が入力ポートから出力される場合で、それらの透過、反射特性は同じである。
【００５７】
帯域透過型（ＢＰＦ）、短波長透過型（ＳＷＰＦ）、および長波長域透過型それぞれのＣＷＤＭフィルターの透過特性について説明する。
【００５８】
帯域透過型（ＢＰＦ）ＣＷＤＭフィルターは、図４（ａ）に示すように、一般的に１０数ｎｍの帯域幅を有している。そして、帯域透過型ＣＷＤＭフィルターの損失率は、透過帯域内の波長を入力ポートから入力した場合に、透過ポートから出力される光信号の損失率はａ（ｄＢ）、反射ポートから出力される光信号の損失率はＢ（ｄＢ）である。一方、透過帯域外の波長の光を入力ポートに入力した場合に、透過ポートから出力される光信号の損失率はＡ（ｄＢ）であり、反射ポートから出力される光信号の損失率はｂ（ｄＢ）である。
【００５９】
短波長透過型（ＳＷＰＦ）ＣＷＤＭフィルターの透過特性は、図４（ｂ）に示すように、一般的に遮断波長λ０以下の波長の光信号を透過させ、遮断波長λ０を越える波長を反射する。そして、短波長透過型ＣＷＤＭフィルターの損失率は、遮断波長λ０以下の波長の光信号を入力ポートから入力した場合に、透過ポートから出力される光信号の損失率はｃ（ｄＢ）であり、反射ポートから出力される光信号の損失率はＤ（ｄＢ）である。一方、遮断波長λ０を越える波長の光信号を入力ポートに入力した場合に、透過ポートから出力される光信号の損失率はＣ（ｄＢ）であり、反射ポートから出力される光信号の損失率はｄ（ｄＢ）である。
【００６０】
長波長域透過型（ＬＷＰＦ）ＣＷＤＭフィルターの透過特性は、図４（ｃ）に示すように、一般的に遮断波長λ０以上の波長の光信号を透過させ、遮断波長λ０未満の波長の光信号を反射する。そして、長波長域透過型ＣＷＤＭフィルターの損失率は、遮断波長λ０以上の波長の光信号を入力ポートから入力した場合に、透過ポートから出力される光信号の損失率はｃ（ｄＢ）であり、反射ポートから出力される光信号の損失率はＤ（ｄＢ）である。一方、遮断波長λ０未満の波長の光信号を入力ポートに入力した場合に、透過ポートから出力される光信号の損失率はＣ（ｄＢ）であり、反射ポートから出力される光信号の損失率はｄ（ｄＢ）である。
【００６１】
次に、波長分波合波部１９Ａおよび１９Ｂの内部におけるＣＷＤＭフィルターの接続構成について説明する。なお、ここで使用される波長は、λ１、λ２、λ３、およびλ４であり、これらのはλ１，λ２＜λ０＜λ３，λ４の関係を有すする。なお、λ１とλ２の大小関係、およびλ３とλ４の大小関係は問わないが、各波長は約２０ｎｍ以上の間隔があることを要する。
【００６２】
図５（ａ）は波長分波合波部１９Ａ内部のＣＷＤＭフィルターの接続構成を示す図面であり、図５（ｂ）は波長分波合波部１９Ｂ内部のＣＷＤＭフィルターの接続構成を示す図面である。また、図１１は、波長分波合波部１９Ａと波長分波合波部１９Ｂにおける入出力ポートＰ１〜Ｐ４の接続関係を示す図面である。
【００６３】
まず、波長分波合波部１９ＡにおけるＣＷＤＭフィルターの接続構成は、図５（ａ）に示すとおり、遮断波長λ０の短波長透過型ＣＷＤＭフィルター（以下、ＳＷＰＦ（λ０）と称する）、波長λ２の光信号を透過する帯域透過型ＣＷＤＭフィルター（以下、ＢＰＦ（λ２）と称する）、および波長λ３の光信号を透過する帯域透過型ＣＷＤＭフィルター（以下、ＢＰＦ（λ３）と称する）を備えている。
【００６４】
波長分波合波部１９ＡにおけるＣＷＤＭフィルターの接続順番は、ＳＷＰＦ（λ０）の入力ポート［Ｉ］が共通ポートＰｃｏｍに接続され、ＳＷＰＦ（λ０）の透過ポート［Ｔ］にＢＰＦ（λ２）の入力ポート［Ｉ］が接続され、一方、ＳＷＰＦ（λ０）の反射ポート［Ｒ］にＢＰＦ（λ３）の入力ポート［Ｉ］が接続される。
【００６５】
そして、ＢＰＦ（λ２）の反射ポート［Ｒ］がポートＰ１、ＢＰＦ（λ２）の透過ポート［Ｔ］がポートＰ２、ＢＰＦ（λ３）の透過ポート［Ｔ］がポートＰ３、ＢＰＦ（λ２）の反射ポート［Ｒ］がポートＰ４となっている。
【００６６】
これによりポートＰ１〜Ｐ４を使用する波長は、ポートＰ１に波長λ１、ポートＰ２に波長λ２、ポートＰ３に波長λ３、ポートＰ１に波長λ４となる。この構成によって４チャンネル分の入出力ポートＰ１〜Ｐ４（入力２チャンネル、出力２チャンネル）を備えることになる。
【００６７】
そして、波長分波合波部１９Ａにおける各ポートの接続は、図６に示すように、ポートＰ１およびＰ４は入力ポートとなり送光部１７Ａに接続され、２チャンネル分の信号出力（ＤＦＢ−ＬＤ（λ１）とＤＦＢ−ＬＤ（λ４））に使用される。一方、ポートＰ２およびＰ３は出力ポートとなり受光部１５Ａに接続され、２チャンネル分の信号受信（ＰＤ（λ２）とＰＤ（λ３））に使用される。
【００６８】
したがって、２つの発光素子ＤＦＢ−ＬＤからの光信号はいずれも、初段は波長フィルターの反射ポートに入射されることになる。
【００６９】
次に、波長分波合波部１９ＢにおけるＣＷＤＭフィルターの接続構成は、図５（ｂ）に示すとおり、遮断波長λ０の長波長透過型ＣＷＤＭフィルター（以下、ＬＷＰＦ（λ０）と称する）、波長λ４の光信号を透過する帯域透過型ＣＷＤＭフィルター（以下、ＢＰＦ（λ４）と称する）、および波長λ１の光信号を透過する帯域透過型ＣＷＤＭフィルター（以下、ＢＰＦ（λ１）と称する）を備えている。
【００７０】
波長分波合波部１９ＢにおけるＣＷＤＭフィルターの接続順番は、ＬＷＰＦ（λ０）の入力ポート［Ｉ］が共通ポートＰｃｏｍに接続され、ＬＷＰＦ（λ０）の透過ポート［Ｔ］にＢＰＦ（λ４）の入力ポート［Ｉ］が接続され、一方、ＬＷＰＦ（λ０）の反射ポート［Ｒ］にＢＰＦ（λ１）の入力ポート［Ｉ］が接続される。
【００７１】
そして、ＢＰＦ（λ４）の反射ポート［Ｒ］がポートＰ２、ＢＰＦ（λ４）の透過ポート［Ｔ］がポートＰ１、ＢＰＦ（λ１）の透過ポート［Ｔ］がポートＰ４、ＢＰＦ（λ１）の反射ポート［Ｒ］がポートＰ３となっている。
【００７２】
これによりポートＰ１〜Ｐ４を使用する波長は、ポートＰ２に波長λ３、ポートＰ１に波長λ４、ポートＰ４に波長λ１、ポートＰ３に波長λ２となる。この構成によって４チャンネル分の入出力ポートＰ１〜Ｐ４（入力２チャンネル、出力２チャンネル）を備えることになる。
【００７３】
そして、波長分波合波部１９Ｂにおける各ポートの接続は、図６に示すように、ポートＰ２およびＰ３は入力ポートとなり送光部１７Ｂに接続され、２チャンネル分の信号出力（ＤＦＢ−ＬＤ（λ２）とＤＦＢ−ＬＤ（λ３））に使用される。一方、ポートＰ１およびＰ４は出力ポートとなり受光部１５Ｂに接続され、２チャンネル分の信号受信（ＰＤ（λ４）とＰＤ（λ１））に使用される。
【００７４】
したがって、波長分波合波部１９Ｂにおいても、２つの発光素子ＤＦＢ−ＬＤからの光信号はいずれも、初段の波長フィルターの反射ポートに入射されることになる。
【００７５】
次に、図７および図８を参照して、本発明の実施の形態に係るメディアコンバータ１Ａおよび１Ｂの伝送損失特性を説明する。なお、図７（ａ）はメディアコンバータ１Ａにおける光信号に対する挿入損失率を示す特性グラフであり、図７（ｂ）はメディアコンバータ１Ｂにおける光信号に対する挿入損失率を示す特性グラフであり、図７（ｃ）はメディアコンバータ１Ａとメディアコンバータ１Ｂの光信号の挿入損失率の合計を示す特性グラフである。また、図８はメディアコンバータ１Ａとメディアコンバータ１Ｂにおける各フィルターの伝送損失率を光信号別に集計した図である。
【００７６】
（１）光信号（λ１）
まず、波長λ１の光信号（λ１）に着目する。光信号（λ１）は、図５に示したように、メディアコンバータ１Ａに内蔵されるＤＦＢ−ＬＤ（λ１）から出射される。
【００７７】
光信号（λ１）は、ＤＦＢ−ＬＤ（λ１）から出射されると、ＢＰＦ（λ２）に入射する。ＢＰＦ（λ２）は波長λ２以外の光信号は透過しないため、光信号（λ１）はここで反射されてＳＷＰＦ（λ０）に入射する。ＳＷＰＦ（λ０）は波長λ０より短い波長は透過するため、光信号（λ１）は、他の光信号と合波されてＰｃｏｍポートに出力されて、光ファイバケーブル７に射出される。
【００７８】
ここでの損失率は、図７（ａ）および図８に示すように、ＢＰＦ（λ２）の反射による損失率ｂとＳＷＰＦ（λ０）における透過による損失率ｃを合わせたｂ＋ｃ（ｄＢ）となる。
【００７９】
合波された光信号は光ファイバケーブル７内を伝搬後、メディアコンバータ１ＢのＬＷＰＦ（λ０）に入射する。ＬＷＰＦ（λ０）は波長λ０より長い波長の光信号のみを透過するため、合波された信号のうち、光信号（λ１）は反射されてＢＰＦ（λ１）に入射する。ＢＰＦ（λ１）は波長λ１の光信号を透過するので、光信号（λ１）はＢＰＦ（λ１）を透過してポートｐ４に出力されてＰＤ（λ１）に到達する。
【００８０】
ここでの損失率は、図７（ｂ）および図８に示すように、ＬＷＰＦ（λ０）における反射による損失率ｄとＢＰＦ（λ１）における透過による損失率ａを合わせたａ＋ｄ（ｄＢ）となる。
【００８１】
したがって、光信号（λ１）の合計損失率は、図７（ｃ）および図８に示すように、波長分波合波部１９Ａにおいて生じる損失率ｂ＋ｃ（ｄＢ）と、波長分波合波部１９Ｂにおいて生じる損失率ａ＋ｄ（ｄＢ）との合計から、ａ＋ｂ＋ｃ＋ｄ（ｄＢ）となる。
【００８２】
ここで、具体的な損失率としては、帯域透過型ＣＷＤＭフィルターの透過の損失率ａは１．０（ｄＢ）程であり、反射の損失率ｂ（ｄＢ）は０．５（ｄＢ）程である。短波長透過型および長波長域透過型ＣＷＤＭフィルターも同様に、透過の損失率ｃは１．０（ｄＢ）程であり、反射の損失率ｄ（ｄＢ）は０．５（ｄＢ）程である。したがって、合計損失率はａ＋ｂ＋ｃ＋ｄ（ｄＢ）＝３（ｄＢ）となる。
【００８３】
（２）光信号（λ２）
次に、波長λ２の光信号（λ２）に着目する。図５に示したように、光信号（λ２）は、メディアコンバータ１Ｂに内蔵されるＤＦＢ−ＬＤ（λ２）から出射される。
【００８４】
光信号（λ２）は、ＤＦＢ−ＬＤ（λ２）から出射されると、ＢＰＦ（λ１）に入射する。ＢＰＦ（λ１）は波長λ１の光信号のみ透過するので、光信号（λ２）はＢＰＦ（λ１）を反射してＬＷＰＦ（λ０）に入射する。ＬＷＰＦ（λ０）は波長λ０より長い波長を透過するため、光信号（λ２）は、ここで反射して他の光信号と合波されてＰｃｏｍポートに出力され、光ファイバケーブル７に射出される。
【００８５】
ここでの損失率は、図７（ｂ）および図８に示すように、ＢＰＦ（λ１）における反射による損失率ｂとＬＷＰＦ（λ０）における反射による損失率ｄを合わせたｂ＋ｄ（ｄＢ）となる。
【００８６】
合波された光信号は光ファイバケーブル７内を伝搬後、メディアコンバータ１ＡのＳＷＰＦ（λ０）に入射する。ＳＷＰＦ（λ０）は波長λ０より短い波長の光信号のみを透過するため、合波された信号のうち、光信号（λ２）は透過してＢＰＦ（λ２）に入射する。ＢＰＦ（λ２）は波長λ２の光信号を透過するので、光信号（λ２）はＢＰＦ（λ２）を透過してポートＰ２に出力され、ＰＤ（λ２）に到達する。
【００８７】
ここでの損失率は、図７（ａ）および図８に示すように、ＳＷＰＦ（λ０）における透過による損失率ｃとＢＰＦ（λ１）における透過による損失率ａを合わせたａ＋ｃ（ｄＢ）となる。
【００８８】
したがって、光信号（λ２）の合計損失率は、図７（ｃ）および図８に示すように、波長分波合波部１９Ｂにおいて生じる損失率ｂ＋ｄ（ｄＢ）と波長分波合波部１９Ａにおいて生じる損失率ａ＋ｃ（ｄＢ）との合計から、ａ＋ｂ＋ｃ＋ｄ（ｄＢ）となる。したがって、合計損失率はａ＋ｂ＋ｃ＋ｄ（ｄＢ）＝３（ｄＢ）となる。
【００８９】
（３）光信号（λ３）
次に、波長λ３の光信号（λ３）に着目する。光信号（λ３）は、図５に示したように、メディアコンバータ１Ｂに内蔵されるＤＦＢ−ＬＤ（λ３）から出射される。
【００９０】
光信号（λ３）は、ＤＦＢ−ＬＤ（λ３）から出射されると、ＢＰＦ（λ４）に入射する。ＢＰＦ（λ４）は波長λ４の光信号のみを透過させるものであるから光信号（λ３）はＢＰＦ（λ４）によって反射されてＬＷＰＦ（λ０）に入射する。ＬＷＰＦ（λ０）は波長λ０より長い波長を透過するため、光信号（λ３）は、他の光信号と合波されてＰｃｏｍポートに出力され、光ファイバケーブル７に射出される。
【００９１】
ここでの損失率は、図７（ｂ）および図８に示すように、ＢＰＦ（λ４）における反射による損失率ｂとＬＷＰＦ（λ０）における透過による損失率ｃを合わせたｂ＋ｃ（ｄＢ）となる。
【００９２】
合波された光信号は光ファイバケーブル７内を伝搬後、メディアコンバータ１ＡのＳＷＰＦ（λ０）に入射する。ＳＷＰＦ（λ０）は波長λ０より短い波長の光信号のみを透過するため、合波された信号のうち、光信号（λ３）は反射されてＢＰＦ（λ３）に入射する。ＢＰＦ（λ３）は波長λ３の光信号は透過するので、光信号（λ３）はＢＰＦ（λ３）を透過し、ポートＰ３に出力されてＰＤ（λ３）に到達する。
【００９３】
ここでの損失率は、図７（ａ）および図８に示すように、ＳＷＰＦ（λ０）における反射による損失率ｄとＢＰＦ（λ３）における透過による損失率ａを合わせたａ＋ｄ（ｄＢ）となる。
【００９４】
したがって、光信号（λ３）の合計損失率は、図７（ｃ）および図８に示すように、波長分波合波部１９Ｂにおいて生じる損失率ｂ＋ｃ（ｄＢ）と、波長分波合波部１９Ａにおいて生じる損失率ａ＋ｄ（ｄＢ）との合計から、ａ＋ｂ＋ｃ＋ｄ（ｄＢ）となる。したがって、合計損失率はａ＋ｂ＋ｃ＋ｄ（ｄＢ）＝３（ｄＢ）となる。
【００９５】
（４）光信号（λ４）
次に、波長λ４の光信号（λ４）に着目する。光信号（λ４）は、図５に示したように、メディアコンバータ１Ａに内蔵されるＤＦＢ−ＬＤ（λ４）から出射される。
【００９６】
光信号（λ４）は、ＤＦＢ−ＬＤ（λ４）から出射されると、ＢＰＦ（λ３）に入射する。ＢＰＦ（λ３）は波長λ３の光信号のみ透過させるので光信号（λ４）はここで反射してＳＷＰＦ（λ０）に入射する。ＳＷＰＦ（λ０）は波長λ０より短い波長を透過するため、光信号（λ４）はここで反射し、他の光信号と合波されてＰｃｏｍポートに出力され、光ファイバケーブル７に射出される。
【００９７】
ここでの損失率は、図７（ａ）および図８に示すように、ＢＰＦ（λ３）における反射による損失率ｂとＳＷＰＦ（λ０）における反射による損失率ｄを合わせたｂ＋ｄ（ｄＢ）となる。
【００９８】
合波された光信号は光ファイバケーブル７内を伝搬後、メディアコンバータ１ＢのＬＷＰＦ（λ０）に入射する。ＬＷＰＦ（λ０）は波長λ０より長い波長の光信号のみを透過するため、合波された信号のうち、光信号（λ４）は透過してＢＰＦ（λ４）に入射する。ＢＰＦ（λ４）は波長λ４の光信号は透過するので、光信号（λ４）はここを透過してポートＰ１に出力され、ＰＤ（λ４）に到達する。
【００９９】
ここでの損失率は、図７（ｂ）および図８に示すように、ＬＷＰＦ（λ０）における透過による損失率ｃとＢＰＦ（λ４）における透過による損失率ａを合わせたａ＋ｃ（ｄＢ）となる。
【０１００】
したがって、光信号（λ４）の合計損失率は、図７（ｃ）および図８に示すように、波長分波合波部１９Ａにおいて生じる損失率ｂ＋ｄ（ｄＢ）と波長分波合波部１９Ｂにおいて生じる損失率ａ＋ｃ（ｄＢ）との合計から、ａ＋ｂ＋ｃ＋ｄ（ｄＢ）となる。したがって、合計損失率はａ＋ｂ＋ｃ＋ｄ（ｄＢ）＝３（ｄＢ）となる。
【０１０１】
以上のように本第１の実施の形態によれば、波長分波合波部１９Ａでは、共通ポートの後段に短波長透過型ＣＷＤＭフィルターを接続し、その後段に帯域透過型ＣＷＤＭフィルターを接続する一方、波長分波合波部１９Ｂでは、共通ポートの後段に長波長透過型ＣＷＤＭフィルターを接続し、その後段に帯域透過型ＣＷＤＭフィルターを接続することで、各光信号（λ１〜λ４）を中継するＣＷＤＭフィルターの数を従来のカスケード接続構成よりも減らすことが可能となっている。これにより波長フィルター数を削減できた分、透過特性の劣化を低減し、安価に構成することができるようになる。
【０１０２】
また、一般的に透過ポートと比較して透過特性が悪いとされるＣＷＤＭフィルター素子の反射ポートに発光素子（一般的に受光素子に比べて調整の自由度が大きい）を優先的に割り当て、かつ透過ポートに受光素子を優先的に割り当てることにより、他波長の干渉による受信特性の劣化を低減することができる。
【０１０３】
（第２の実施の形態）
上述した第１の実施の形態は、４波多重光通信システムを例に説明したものであるが、本発明は、Ｎ（Ｎ＝２、３、・・・）波多重光通信システムの波長分波合波部に適用可能である。
【０１０４】
第２の実施の形態は、Ｎ波多重光通信システムの波長分波合波部の例として８（Ｎ＝８）波とした波長分波合波部である。なお、８波通信システムとしては、図１に示した通信システムにおいて、扱う波長数が４波から８波になることを除いて、その他の構成は同様である。
【０１０５】
図９は、加入者側における８波分の波長分波合波部８９ＡのＣＷＤＭフィルターの接続構成を示す図面であり、図１０はこれに対向する局側の８波分の波長分波合波部８９Ｂのフィルター構成を示す図面である。なお、使用される波長は、λ１，λ２，λ３，λ４＜λ０＜λ５，λ６，λ７，λ８であり、λ１，λ２，λ３，λ４の大小関係、およびλ５，λ６，λ７，λ８の大小関係は問わないが、各波長は約２０ｎｍ以上の間隔があることを要する。
【０１０６】
まず、８波分の波長分波合波部８９Ａのフィルター構成は、遮断波長λ０の短波長透過型ＣＷＤＭフィルター（ＳＷＰＦ（λ０））、波長λ２の光信号を透過する帯域透過型ＣＷＤＭフィルター（ＢＰＦ（λ２））、波長λ３の光信号を透過する帯域透過型ＣＷＤＭフィルター（ＢＰＦ（λ３））、波長λ４の光信号を透過する帯域透過型ＣＷＤＭフィルター（ＢＰＦ（λ４））、波長λ５の光信号を透過する帯域透過型ＣＷＤＭフィルター（ＢＰＦ（λ５））、波長λ６の光信号を透過する帯域透過型ＣＷＤＭフィルター（ＢＰＦ（λ６））および波長λ７の光信号を透過する帯域透過型ＣＷＤＭフィルター（ＢＰＦ（λ７）を備えている。
【０１０７】
波長分波合波部８９ＡにおけるＣＷＤＭフィルターの接続順番は、ＳＷＰＦ（λ０）の入力ポート［Ｉ］が共通ポートＰｃｏｍに接続され、ＳＷＰＦ（λ０）の透過ポート［Ｔ］にＢＰＦ（λ４）の入力ポート［Ｉ］が接続され、一方、ＳＷＰＦ（λ０）の反射ポート［Ｒ］にＢＰＦ（λ５）の入力ポート［Ｉ］が接続される。
【０１０８】
そして、ＢＰＦ（λ４）の透過ポート［Ｔ］がポートＰ４を介してＰＤ（λ４）に接続され、ＢＰＦ（λ４）の反射ポート［Ｒ］がＢＰＦ（λ３）の入力ポート［Ｉ］に接続される。
【０１０９】
ＢＰＦ（λ３）の透過ポート［Ｔ］はポートＰ３を介してＬＤ（λ３）に接続され、ＢＰＦ（λ３）の反射ポート［Ｒ］はＢＰＦ（λ２）の入力ポート［Ｉ］に接続される。
【０１１０】
ＢＰＦ（λ２）の透過ポート［Ｔ］はポートＰ２を介してＰＤ（λ２）に接続され、ＢＰＦ（λ２）の反射ポート［Ｒ］はポートＰ１を介してＬＤ（λ１）に接続される。
【０１１１】
一方、ＢＰＦ（λ５）の透過ポート［Ｔ］はポートＰ５を介してＰＤ（λ５）に接続され、ＢＰＦ（λ５）の反射ポート［Ｒ］はＢＰＦ（λ６）の入力ポート［Ｉ］に接続される。
【０１１２】
ＢＰＦ（λ６）の透過ポート［Ｔ］はポートＰ６を介してＬＤ（λ６）に接続され、ＢＰＦ（λ６）の反射ポート［Ｒ］はＢＰＦ（λ７）の入力ポート［Ｉ］に接続される。
【０１１３】
ＢＰＦ（λ７）の透過ポート［Ｔ］はポートＰ７を介してＰＤ（λ７）に接続され、ＢＰＦ（λ７）の反射ポート［Ｒ］はポートＰ８を介してＬＤ（λ８）に接続される。
【０１１４】
この構成によって８チャンネル分の入出力の行うことができるポート（ここでは入力４チャンネル、出力４チャンネル）を備えることになる。
【０１１５】
この構成では、ＬＤからの光信号が可能かなかぎり初段の波長フィルターの反射ポートに入射されるようにしている。
【０１１６】
次に、８波分の波長分波合波部８９Ｂのフィルター構成は、遮断波長λ０の長波長透過型ＣＷＤＭフィルター（ＬＷＰＦ（λ０））、波長λ１の光信号を透過する帯域透過型ＣＷＤＭフィルター（ＢＰＦ（λ１））、波長λ２の光信号を透過する帯域透過型ＣＷＤＭフィルター（ＢＰＦ（λ２））、波長λ３の光信号を透過する帯域透過型ＣＷＤＭフィルター（ＢＰＦ（λ３））、波長λ６の光信号を透過する帯域透過型ＣＷＤＭフィルター（ＢＰＦ（λ６））、波長λ７の光信号を透過する帯域透過型ＣＷＤＭフィルター（ＢＰＦ（λ７）、および波長λ８の光信号を透過する帯域透過型ＣＷＤＭフィルター（ＢＰＦ（λ８））、を備えている。
【０１１７】
波長分波合波部８９ＢにおけるＣＷＤＭフィルターの接続順番は、ＬＷＰＦ（λ０）の入力ポート［Ｉ］が共通ポートＰｃｏｍに接続され、ＬＷＰＦ（λ０）の透過ポート［Ｔ］にＢＰＦ（λ８）の入力ポート［Ｉ］が接続され、一方、ＬＷＰＦ（λ０）の反射ポート［Ｒ］にＢＰＦ（λ１）の入力ポート［Ｉ］が接続される。
【０１１８】
そして、ＢＰＦ（λ１）の透過ポート［Ｔ］がポートＰ４を介してＰＤ（λ４）に接続され、ＢＰＦ（λ１）の反射ポート［Ｒ］がＢＰＦ（λ２）の入力ポート［Ｉ］に接続される。
【０１１９】
ＢＰＦ（λ２）の透過ポート［Ｔ］はポートＰ３を介してＬＤ（λ２）に接続され、ＢＰＦ（λ２）の反射ポート［Ｒ］はＢＰＦ（λ３）の入力ポート［Ｉ］に接続される。
【０１２０】
ＢＰＦ（λ３）の透過ポート［Ｔ］はポートＰ２を介してＰＤ（λ３）に接続され、ＢＰＦ（λ３）の反射ポート［Ｒ］はポートＰ１を介してＬＤ（λ４）に接続される。
【０１２１】
一方、ＢＰＦ（λ８）の透過ポート［Ｔ］はポートＰ５を介してＰＤ（λ８）に接続され、ＢＰＦ（λ８）の反射ポート［Ｒ］はＢＰＦ（λ７）の入力ポート［Ｉ］に接続される。
【０１２２】
ＢＰＦ（λ７）の透過ポート［Ｔ］はポートＰ６を介してＬＤ（λ７）に接続され、ＢＰＦ（λ７）の反射ポート［Ｒ］はＢＰＦ（λ６）の入力ポート［Ｉ］に接続される。
【０１２３】
ＢＰＦ（λ６）の透過ポート［Ｔ］はポートＰ７を介してＰＤ（λ６）に接続され、ＢＰＦ（λ６）の反射ポート［Ｒ］はポートＰ８を介してＬＤ（λ５）に接続される。
【０１２４】
この構成でも、ＬＤからの光信号が可能かなかぎり初段の波長フィルターの反射ポートに入射されるようにしている。
【０１２５】
以上のように本第２の実施の形態においても、波長分波合波部の構成として、共通ポートの後段に短波長透過型ＣＷＤＭフィルターまたは長波長透過型ＣＷＤＭフィルターを接続し、その後段に（Ｎ−２）個の帯域透過型ＣＷＤＭフィルターを接続することで、従来のカスケード接続構成ではＮ個の波長多重通信にはＮ個のＣＷＤＭフィルターを必要とするのに対し、本第２の実施の形態では、（Ｎ−１）個のＣＷＤＭフィルターで実現することが可能である。これにより透過特性の劣化を低減し、安価に構成することができるようになる。
【０１２６】
また、本第２の実施の形態においても一般的に透過ポートと比較して透過特性が悪いとされるＣＷＤＭフィルター素子の反射ポートに発光素子（一般的に受光素子に比べて調整の自由度が大きい）を可能な限り優先的に割り当て、かつ透過ポートに可能な限り受光素子を割り当てることにより、他波長の干渉による受信特性の劣化を低減することができる。
【０１２７】
以上本発明を適用した実施の形態を説明したが、本発明はこれらの実施の形態に限定されるものではない。たとえば、上述した実施の形態では、いずれも短波長透過型または長波長透過型フィルターの後段に接続した帯域透過型フィルターを、短波長透過型または長波長透過型フィルターの透過ポートと反射ポートで互いに同数となるようにしているが、これに限らず、短波長透過型または長波長透過型フィルターの透過ポートと反射ポートとで異なる数になるようにしてもよい。このような場合でも、波長フィルターの数を従来より削減することが可能となる。
【０１２８】
【発明の効果】
以上説明したように、本発明によれば、カスケード接続よりも少ないフィルター素子数で波長多重通信用の波長分波合波装置を構成することができるので、透過特性の劣化が低減し、かつ安価に構成することが可能となる。
【０１２９】
また、本発明によれば、フィルター素子の反射ポートに発光素子を優先的に割り当て、かつ透過ポートに受光素子を優先的に割り当てることができるようになり、他波長の干渉による受信特性の劣化を低減することができる。従って損失率が低減する。
【図面の簡単な説明】
【図１】実施の形態に係わる波長多重通信システムの構成図である。
【図２】非冷却分布帰還型半導体レーザの出力特性を示す図面である。
【図３】（ａ）はＣＷＤＭフィルターの接続を示す構成図である。（ｂ）はＣＷＤＭフィルターの具体的な構造を示す一部断面斜視図である。
【図４】（ａ）は帯域透過型ＣＷＤＭフィルターの透過特性を示す図であり、（ｂ）は短波長透過型ＣＷＤＭフィルターの透過特性の透過特性を示す図であり、（ｃ）は短波長透過型（ＳＷＰＦ）ＣＷＤＭフィルターの透過特性を示す図である。
【図５】（ａ）は波長分波合波部１９Ａに使用されるＣＷＤＭフィルターの構成を示す図である。（ｂ）は波長分波合波部１９Ｂに使用されるＣＷＤＭフィルターの構成を示す図である。
【図６】波長分波合波部１９Ａと波長分波合波部１９Ｂにおける入出力ポートＰ１〜Ｐ４の接続関係を示す図面である。
【図７】（ａ）はメディアコンバータ１Ａにおける光信号に対する挿入損失率を示す特性グラフであり、（ｂ）はメディアコンバータ１Ｂにおける光信号に対する挿入損失率を示す特性グラフであり、（ｃ）はメディアコンバータ１Ａとメディアコンバータ１Ｂの光信号の挿入損失率の合計を示す特性グラフである。
【図８】メディアコンバータ１Ａとメディアコンバータ１Ｂにおける各フィルターの伝送損失率を光信号別に集計した図である。
【図９】第２の実施の形態における波長分波合波部８９Ａに使用されるＣＷＤＭフィルターの構成を示す図である。
【図１０】第２の実施の形態における波長分波合波部８９Ｂに使用されるＣＷＤＭフィルターの構成を示す図である。
【図１１】従来のメディアコンバータ１０１Ａ、１０１Ｂにおける波長分波合波部の構成図と信号損失を示す図面である。
【図１２】従来の波長分波合波部に用いられている透過フィルターにおける損失率を集計した図である。
【符号の説明】
１Ａ、１Ｂ　メディアコンバータ
３　端末装置
７　光ファイバケーブル
１１　外部端末用コネクタ
１３　符号変換部
１５Ａ、１５Ｂ　受光部
１７Ａ、１７Ｂ　送信部
１９Ａ、１９Ｂ、８９Ａ、８９Ｂ　波長分波合波部
【図１】
2004080064.tif 000003
【図２】
2004080064.tif 000004
【図３】
2004080064.tif 000005
【図４】
2004080064.tif 000006
【図５】
2004080064.tif 000007
【図６】
2004080064.tif 000008
【図７】
2004080064.tif 000009
【図８】
2004080064.tif 000010
【図９】
2004080064.tif 000011
【図１０】
2004080064.tif 000012
【図１１】
2004080064.tif 000013
【図１２】
2004080064.tif 000014